(57)【要約】本発明は一種のスチーム発生システム、及び其の発生方法を提供し、噴霧システムで低温スチームを形成し、前記低温スチームを調温可能な加熱装置で加熱することで、あるいは適当な割合で高温スチームと混合することで、望ましいスチーム温度が得られる。【選択図】図1
2009540968.tif 000002
【特許請求の範囲】
【請求項１】
一つの噴霧室と、前記噴霧室の裏に設置され、前記噴霧室の水を噴霧し、低温スチームを形成させるアトマイザーと、前記アトマイザーの低温スチームを出口の方へ流れ動かす羽根車とで形成された一つの噴霧システムと；
高温スチームの発生に使われる一つの高温スチーム発生装置と；
別々に前記噴霧室の低温スチーム出口、および高温スチーム発生装置の高温スチーム出口とに繋がる二つのスチーム注入口と、一つの混合したスチーム出口とで形成された一つのスチーム導出パイプと；
前記噴霧システムに高温スチーム発生装置に必要な水を提供する一つの水槽とが設置され；
前記水槽の水の一部は前記噴霧システムで低温スチームを形成し、他の一部はスチーム発生システムによって高温スチームを形成し、低温、また高温スチームをスチーム導出管によって混合し、低温、また高温スチームの割合を調節することによって、スチームの温度を調節させることを特徴とするスチーム発生システム。
【請求項２】
前記水槽には上方に設置される主水槽と下方に設置される副水槽があり、前記主水槽と前記副水槽の間には一つの水注入バルブが設置され、前記噴霧室はその片側に設置され、前記副水槽へ繋がり、前記低温スチーム出口は前記噴霧室の上部に設置され、前記羽根車の外部には一つのガイドライナーが設置され、前記ガイドライナーのエアー吹き出し口は前記低温スチーム出口の底を向き；前記高温スチーム発生装置の水注入パイプは前記副水槽の底部と接続し、その接続には水供給調節バルブが設置され、前記水供給調節バルブには外から調節できるノブが設置されるようにしたことを特徴とする請求項1記載のスチーム発生システム。
【請求項３】
前記水供給調節バルブには一つの柱状のバルブ本体があり、前記主水槽の底から前記副水槽の裏下へ延伸し；前記バルブ本体の底端の周縁には一つの開口が設置され、前記開口の位置は前記エアー吹き出し口より低く；前記バルブ本体の中部には一つのバルブホールが設置され、前記バルブホールには下から上まで前記バルブホールと抵抗接続できるバルブプラグが設置され、前記バルブプラグの頂部には上へ延伸するバルブステムが設置され、前記バルブステムにはスプリングが設置され、バルブステムを上へ動かし、バルブプラグを下から上まで前記バルブホールと抵抗接続し；前記主水槽の頂部には一つの水注入口が設置され、前記水注入口には一つのネジ切りキャップが設置され、前記ネジ切りキャップの底部には連動リレーが設置され、前記主水槽の裏まで延伸し、前記バルブステムを下へ移動させ、前記バルブプラグを前記バルブホールから外すようにしたことを特徴とする請求項１あるいは請求項2記載のスチーム発生システム。
【請求項４】
前記スチーム導出パイプにある混合したスチーム出口は一つのスチーム配送管によって、一つの中空環と繋がり、前記中空環の底部には円周方向に沿って、複数個の噴出孔が配列され；前記中空環の環状体は一つのホルダーに組み立てられるようにしたことを特徴とする請求項1記載のスチーム発生システム。
【請求項５】
前記中空環との接合部付近の前記スチーム配送管には一つの加熱装置が設置され、前記加熱装置には、その両端が前記スチーム輸送管と繋がる一つの金属製パイプアダプターと、それに前記金属製パイプアダプターの外側壁に貼り付けられるPTCサーミスターと、前記PTCサーミスターと繋がるサーミスター制御装置が設置されるようにしたことを特徴とする請求項4記載のスチーム発生システム。
【請求項６】
一つの前記噴霧室と、前記噴霧室の裏に設置され、前記噴霧室の水を噴霧し、低温スチームを形成させる前記アトマイザーと、前記噴霧室の低温スチームを出口の方へ流れ動かす羽根車とで形成される一つの噴霧システムと；
前記噴霧システムに前記高温スチーム発生装置に必要な水を提供する一つの水槽と；
一つのスチーム入り口と少なくとも一つのスチーム出口があり、前記スチーム出口と前記スチーム入り口を繋ぐ管路には一つの調温可能な加熱装置が設置される一つの送出部と；
手持ち部のスチーム入り口を前記噴霧室の前記低温スチーム出口と接続する一つのスチーム配送管とが設置され；
前記水槽の水の一部は前記噴霧システムで低温スチームを形成し、前記手持ち部にある前記加熱装置によって前記スチームの温度を高くし、前記加熱装置を調節することで、スチームの温度を調節することを特徴とするスチーム発生システム。
【請求項７】
前記送出部は一つの手持ち部で、その中には一つになっている頭部と柄があり、前記頭部には複数個のマッサージローラーが並べ、前記手持ち部のスチーム出口は複数個あり、それぞれ各マッサージローラーの間に対応して設置され、前記手持ち部のスチーム入り口は前記柄の端部に設置され；前記加熱装置は前記柄の裏に設置され、その中には、その両端が前記スチーム管路と繋がる一つの金属製パイプアダプターと、前記金属製パイプアダプターの外側に貼り付けられる前記PTCサーミスターと、前記PTCサーミスターと繋がる前記サーミスター制御装置が設置されるようにしたことを特徴とする請求項6記載のスチーム発生システム。
【請求項８】
前記噴霧室は前記水槽の下にあり、前記噴霧室は大気と繋がり、前記水槽は気密で、前記水槽と前記噴霧室の間には一つの水注入バルブが設置され、前記水注入バルブには下向きで、前記噴霧室の裏まで延伸する一つの柱状のバルブ本体があり、前記バルブ本体の裏には前記水槽と前記噴霧室に繋がる通路が形成され、前記バルブ本体下端の開口周縁には一つの開口が設置され；前記噴霧室は一つのスチーム通路によってそのスチーム出口と繋がり、前記スチーム通路の入り口の位置は前記水注入バルブの開口より高く、前記羽根車の外部には一つのガイドライナーが設置され、前記ガイドライナーには前記噴霧室と繋がり、前記スチーム通路の入り口近辺に位置するエアー吹き出し口が設置されるようにしたことを特徴とする請求項6あるいは請求項７記載のスチーム発生システム。
【請求項９】
前記送出部は一つのマッサージバンドで、その裏側には複数個のマッサージスポットが設置され、それに複数個のスチーム出口があり、前記各マッサージスポットの間に別々に対応して設置され；前記加熱装置は前記マッサージバンドの外側に設置され、その中には、その両端が前記スチーム管路と繋がる一つの前記金属製パイプアダプターと、前記金属製パイプアダプターの外側に貼り付けられる前記PTCサーミスターと、前記PTCサーミスターと繋がる前記サーミスター制御装置が設置されるようにしたことを特徴とする請求項6記載のスチーム発生システム。
【請求項１０】
前記噴霧システムにおいて、水槽は一体構造で、前記スチーム配送パイプによって前記送出部と繋がるようにしたことを特徴とする請求項6記載のスチーム発生システム。
【請求項１１】
スチーム発生方法において、前記噴霧システムによって、水を噴霧して、低温スチームに形成させてから、低温スチームを高温スチームと混合することで、或いは低温スチームを加熱することで、望ましいスチーム温度が得られることを特徴とするスチーム発生システム。
【発明の詳細な説明】
【技術分野】
【０００１】
本発明はスチーム発生システムおよびスチーム発生方法に関し、具体的には美容、ヘアドレッシング，保健に使う一種のスチーム発生システムおよびスチーム発生方法に関する。
【背景技術】
【０００２】
美容、ヘアドレッシング，保健などの分野では、よくスチームを使う必要がある。たとえば、髪にパーマをかけるとき、様々な道具を使って、希望のスタイルを形成してから、スチームを使って固定させ、髪に整髪油を塗りつけてから、スチームを使って髪を蒸して、整髪油の有効成分を髪に吸収させる；さらにスチームバスでは、人がスチームの中に入って，水分を補い、汗をかかせ、廃液を流れ出し、スチームバスをした後、乳酸が血液循環でなくなって、心身ともにリラックスさせ、体が温かくなって、強張った筋肉を柔らかくさせ、筋収縮マッサージの受け取りを易くさせ、手作業あるいは機械によって徹底的にマッサージするとき、人体に不快を起こす可能性がなく、それに栄養と薬物が吸収し易く、スキンケアにもよい役割を果たす。
【０００３】
本発明者は2005年12月12日、中国知識財産局に “一種のスチームマッサージ装置”という実用新案を提出して、出願番号は200520125747.6、その構造には柄、マッサージローラーがあって、前記マッサージローラーは回転できるように柄上端に設置され、前記マッサージローラーが回転できるように前記柄上端に固定された一つの回転軸に設置され、前記マッサージローラーには複数個の噴出孔が設置され、前記回転軸の裏には一つのスチームチャンバーが設置され、前記スチームチャンバーにはマッサージローラーの回転運動に伴って、交互にマッサージローラーの噴出孔と重なって繋がるスチーム出口が設置される。前記柄には一つの水槽が設置され、前記水槽は一つのスチーム輸送パイプによって前記マッサージローラーの回転軸と繋がって、それに水槽の下方には電気加熱部品が設置され、電源線が前記電気加熱部品と繋がって、柄の外まで延伸する。前記スチームマッサージ装置のマッサージローラーはスチームを噴出することができることで、一部の人肌をマッサージするとともに、一部の人体のスチームバスもできて、マッサージ効果にいく役割を果たす。
【０００４】
以上に採用されたスチームには共通する欠点が一つあって、つまり、スチームは水を加熱して取れたもので、その温度は十分100度を超えて、もし人体に近づくと、人肌に傷を付ける惧れが高い、もし人体から離れると、スチームの効果を発揮することができなくなって、そこで、その温度に対する制御は甚だ困難な問題になる。
【発明の概要】
【発明が解決しようとする課題】
【０００５】
本発明の目的として、美容、ヘアドレッシング，保健などの分野で採用される従来のスチーム発生システムは直接水を加熱して、スチームを発生し、発生したスチームの温度は十分100度を超え、人肌に焼けどを与え易く、温度に対する制御が難しいという問題を克服する、一種のスチーム発生システムおよびその方法を提供する。
【課題を解決するための手段】
【０００６】
噴霧システムによって、水を噴霧して、低温スチームに形成させてから、低温スチームを高温スチームと混合することで、或いは低温スチームを加熱し、スチームの温度を調節することで、望ましいスチーム温度が得られる。
【０００７】
技術方案一：
一種のスチーム発生システムには、一つの噴霧室と、前記噴霧室の裏に設置され、噴霧室の水を噴霧し、低温スチームを形成させるアトマイザーと、アトマイザーの低温スチームを出口の方へ流れ動かす羽根車とで形成された一つの噴霧システムと；高温スチームの発生に使われる一つの高温スチーム発生装置と；別々に噴霧室の低温スチーム出口、それに高温スチーム発生装置の高温スチーム出口と繋がる二つのスチーム注入口と、一つの混合したスチーム出口とで形成された一つのスチーム導出パイプと；噴霧システムに高温スチーム発生装置に必要な水を提供する一つの水槽が設置される。
【０００８】
前記一種のスチーム発生システムでは、その水槽には上方に設置される主水槽と下方に設置される副水槽があり、前記主水槽と副水槽の間には一つの水注入バルブが設置され、前記噴霧室はその片側に設置され、副水槽と繋がり、前記低温スチーム出口は前記噴霧室の上部に設置され、前記羽根車の外部には一つのガイドライナーが設置され、前記ガイドライナーのエアー吹き出し口は前記低温スチーム出口の底を向き；前記高温スチーム発生装置の水注入パイプは前記副水槽の低部と接続し、その接続には水供給調節バルブが設置され、前記水供給調節バルブには外から調節できるノブが設置される。
【０００９】
前記一種のスチーム発生システムでは、その水供給調節バルブには1つの柱状のバルブ本体があり、主水槽の底から副水槽の裏下部へ延伸し；前記バルブ本体の底端の周縁には一つの開口が設置され、前記開口の位置は前記エアー吹き出し口より低く；前記バルブ本体の中部には一つのバルブホールが設置され、前記バルブホールには下から上まで前記バルブホールと抵抗接続できるバルブプラグが設置され、前記バルブプラグの頂部には上へ延伸するバルブステムが設置され、前記バルブステムにはスプリングが設置され、バルブステムを上へ動かし、バルブプラグを下から上までバルブホールと抵抗接続し；前記主水槽の頂部には一つの水注入口が設置され、水注入口には一つのネジ切りキャップが設置され、前記ネジ切りキャップの底部には連動リレーが設置され、主水槽の裏まで延伸し、前記バルブステムを下へ移動させ、前記バルブプラグをバルブホールから外す。
【００１０】
前記一種のスチーム発生システムでは、そのスチーム導出パイプにある混合したスチーム出口は一つのスチーム配送管によって、一つの中空環と繋がり、前記中空環の底部には円周方向に沿って、複数個の噴出孔が配列され；前記中空環の環状体は一つのホルダーに組み立てられる。
【００１１】
前記中空環との接合部前記スチーム配送管には一つの加熱装置が設置され、前記加熱装置には、その両端が前記スチーム輸送管と繋がる一つの金属製パイプアダプターと、それに前記金属製パイプアダプターの外側壁に貼り付けられるPTCサーミスターと、前記PTCサーミスターと繋がるサーミスター制御装置が設置される。
【００１２】
技術方案二：
一種のスチーム発生システムには、一つの噴霧室と、それに前記噴霧室の裏に設置され、噴霧室の水を噴霧し、低温スチームを形成させるアトマイザーと、噴霧室の低温スチームを出口の方へ流れ動かす羽根車とで形成される一つの噴霧システムと；噴霧システム、高温スチーム発生装置に必要な水を提供する一つの水槽と；一つのスチーム入り口と少なくとも一つのスチーム出口があり、前記スチーム出口と前記スチーム入り口を繋ぐ管路には一つの加熱装置が設置される一つの送出部と；手持ち部のスチーム入り口を噴霧室の低温スチーム出口と接続する一つのスチーム配送管が設置される。
【００１３】
前記一種のスチーム発生装置では、その送出部は一つの手持ち部で、その中には一つになっている頭部と柄があり、前記頭部には複数個のマッサージローラーが並び、前記手持ち部のスチーム出口は複数個あり、それぞれ各マッサージローラーの間に対応して設置され、前記手持ち部のスチーム入り口は前記柄の端部に設置され；前記加熱装置は前記柄の裏に設置され、その中には、その両端が前記スチーム管路と繋がる一つの金属製パイプアダプターと、前記金属製パイプアダプターの外側に貼り付けられるPTCサーミスターと、前記PTCサーミスターと繋がるサーミスター制御装置が設置される。
【００１４】
前記一種のスチーム発生装置では、その噴霧室は水槽の下にあり、噴霧室は大気と繋がり、水槽は気密で、水槽と噴霧室の間には一つの水注入バルブが設置され、前記水注入バルブには下向きで、噴霧室の裏まで延伸する一つの柱状のバルブ本体があり、前記バルブ本体の裏には水槽と噴霧をの繋ぐ通路が形成され、前記バルブ本体下端の開口周縁には一つの開口が設置され；前記噴霧室は一つのスチーム通路によってそのスチーム出口と繋がり、前記スチーム通路の入り口の位置は前記水注入バルブの開口より高く、前記羽根車の外部には一つのガイドライナーが設置され、前記ガイドライナーには前記噴霧室と繋がり、前記スチーム通路の入り口のそばに位置するエアー吹き出し口が設置される。
【００１５】
前記一種のスチーム発生装置では、その送出部は一つのマッサージバンドで、その裏側には複数個のマッサージスポットが設置され、それに複数個のスチーム出口があり、各マッサージスポットの間に別々に対応して設置され；前記加熱装置はマッサージバンドの外側に設置され、その中には、その両端が前記スチーム管路と繋がる一つの金属製パイプアダプターと、前記金属製パイプアダプターの外側に貼り付けられるPTCサーミスターと、前記PTCサーミスターと繋がるサーミスター制御装置が設置される。
【００１６】
前記噴霧システム、水槽は一体構造で、スチーム配送パイプによって送出部と繋がる。
【００１７】
技術方案一では、噴霧システムで形成された低温スチームを高温スチーム発生装置で形成された高温スチームと混合すると、適切なスチーム温度が得られる；技術方案二では、噴霧システムで形成された低温スチームを調温可能な加熱装置で加熱すると、同じように、適切なスチーム温度が得られる。二つの方法の共通点として、噴霧システムを利用して低温スチームを形成してから、前記低温スチームを調節できるように加熱し、望ましいスチーム温度が得られる。
【００１８】
以上のように、本発明には以下の特徴がある。本発明では、もともと空気加湿に利用された噴霧システムを美容、ヘアドレッシング、保健などの分野で利用し、望ましいスチームを形成し、そして、形成されたスチームの温度が調節できるという目的を達し、従来の美容、ヘアドレッシング，保健分野の関連装置で形成された高温スチームの焼けどをし易く、温度調節しにくいなどの問題を克服して、スチームを前記分野でより自由に、無制限で、広く利用できる。
【図面の簡単な説明】
【００１９】
【図１】本発明の実施例一の立体概略図を示す；
【図２】本発明の実施例一の一つの断面図を示す；
【図３】本発明の実施例一のもう一つの断面図を示す；
【図４】本発明の実施例一のまた一つの断面図を示す；
【図５】本発明の実施例二の立体概略図を示す；
【図６】本発明の実施例二の一つの断面図を示す；
【図７】本発明の実施例二のもう一つの断面図を示す；
【図８】本発明の実施例二の手持ち部の立体分解図を示す。
【発明を実施するための形態】
【００２０】
以下は図1ないし図4を参照して、本発明の具体的な実施例一を説明する。
【００２１】
本実施例は、本発明で述べた温度調節できるスチーム発生装置を利用した一種の整髪装置を提供し、図1のように、前記整髪装置には一つのベース1と、前記ベース1と垂直で、上に延伸した支え棒12と、前記支え棒12の頂部に設置された接続座14と、縦方向に設置された一つのネジ棒15と、前記接続座14に締め付けられたコネクタ13と、前記コネクタ13に締め付けられたスチーム噴出環3と、前記支え棒12の中部に位置してスチーム発生システム2が設置される。前記スチーム発生システム2の上面には水注入口850が設置され、水注入口850には一つのネジ切りキャップ85が設置され、前記スチーム発生システム2は一つのスチーム配送パイプ31によって前記スチーム噴出環3と繋がる。また、前記スチーム発生システム2にはスチームの温度調節に利用されるノブ83が設置される。
【００２２】
図2と図3を参照し、その内部構造を示すために、縦に二つの違った位置で前記スチーム発生システム2を切断する。前記スチーム発生システム2には一つの主水槽4と、前記主水槽4の下に設置される一つの副水槽5があり、前記主水槽4と副水槽5の間には一つの水注入バルブ81が設置され、主水槽4の水が副水槽5に入ることを調節でき、それに副水槽5の水位も制御できる。前記副水槽5の片側には一つの噴霧室6が設置され、それに両方がお互いに繋がっていて、噴霧室6の上部は一つの低温スチーム出口610を形成し、その内側壁は錐面である。噴霧室6の裏には一つの噴霧装置61が設置され、噴霧室6の水を噴霧し、低温スチームを形成する。前記噴霧室6の外の片側には一つの羽根車9が設置され、前記羽根車9は一つのモーターにより動かされ、図には前記モーターを示さず。前記羽根車9の外部は一つのガイドライナー91が設置され、前記ガイドライナー91のエアー吹き出し口910は前記低温スチーム出口610の底を向く。
【００２３】
副水槽5の下には一つの高温スチーム発生システム7が設置され、前記高温スチーム発生システム7は従来普通のスチーム電気アイロンのスチーム発生装置を利用し、ここではその構造を詳しく説明しない。前記高温スチーム発生システム7の水注入パイプ32は前記副水槽5の底部と接続し、その接続には水供給調節バルブ82が設置され、前記水供給調節バルブ82には外から調節できるノブ83が設置され、前記水供給調節バルブ82として、従来の水供給調節バルブのいかなる一つを採用してもよく、水流れを調節することだけできればよい。そのために、前記ノブ83の調節によって、高温スチーム発生システム7の水流れが調節でき、従って、高温スチームの生産量も調節できる。
【００２４】
図3を参照し、前記水注入バルブ81には一つの柱状のバルブ本体80があり、下を向いて主水槽4の底部から副水槽5の裏まで延伸し；前記柱状のバルブ本体80の底部周縁には一つの開口801が設置され、前記開口801の位置は前記エアー吹き出し口910より低く；前記バルブ本体80の中部には一つのバルブホールが設置され、前記バルブホールには下から上まで前記バルブホールと抵抗接続したバルブプラグ811が設置され、前記バルブプラグ811の頂部には上へ向いて延伸したバルブステム812が設置され、前記バルブステム812にはスプリング813が設置され、バルブステム812を上へ動かし、下から上までバルブプラグ811をバルブホールと抵抗接続し；前記主水槽4の頂部の水注入口850のネジ切りキャップ85の底部には連動リレー84が設置され、主水槽4の裏まで延伸し、前記バルブステム812を下へ動かし、前記バルブプラグ811をバルブホールから外す。
【００２５】
一旦前記ネジ切りキャップ85を開くと、水注入口850によって主水槽に水を加え、スプリング813の働きで、バルブプラグ811を前記バルブホールと抵抗接続し、主水槽4の水は副水槽5に入ることができなくなる。また一旦前記ネジ切りキャップ85が水注入口850を閉じると、主水槽4は一つの気密空間になり、それに対し、副水槽5は大気と繋がり、もし副水槽5の水位がバルブ本体80の底部周縁の開口801より低くなると、主水槽4の水は自動的に前記バルブ本体80の中部に位置するバルブホールから副水槽に流れ込むが、もし副水槽5の水位が上がると、前記開口801を沈め、主水槽4は気密性によって、その内部圧力はマイナスとなり、主水槽4の水は下へ向いて副水槽５に流れ込むことができなくなる。
【００２６】
図2を参照し、前記スチーム配送パイプ31の下端には前記スチーム発生システム2の裏に位置し、一つのスチーム導出パイプ34が設置され、その中には別々に噴霧室6の低温スチーム出口610と、高温スチーム発生装置7の高温スチーム配送パイプ33とに繋がる二つのスチーム注入口と、一つの混合したスチーム出口があり；前記混合したスチーム出口は前記スチーム配送パイプ31と繋がる。
【００２７】
図4を参照し、前記スチーム噴出環3の裏には一つの中空環36が設置され、前記中空環36の底には複数個のスチーム噴出孔30が配列され、各スチーム噴出孔30は下を通って前記スチーム噴出環3の外に出る。前記スチーム噴出環3は前記中空環36と繋がっている。前記中空環36との接合部近辺の前記スチーム輸送パイプ31には一つの加熱装置が設置され、前記加熱装置には、その両端が前記スチーム輸送管31と繋がった一つの金属製パイプアダプター310と、それに前記金属製パイプアダプター310の外側壁に貼り付けたPTCサーミスター311、312と、前記PTCサーミスター311、312と繋がったサーミスター制御装置が設置される。サーミスター制御装置は従来技術で、図には示さず、前記金属製パイプアダプター310、それにPTCサーミスター311、312は一つのクランプ・ホルダー313によって前記接続13の裏に締め付けられる。
【００２８】
以上のように、噴霧室6で形成された低温スチームを高温スチーム発生システム7で形成された高温スチームと混合すると、適切なスチーム温度が得られ、整髪に利用でき、高温スチームの混入量を調節することによって、混合スチームの温度が調節できる。
【００２９】
以下は図5ないし図8を参照して、本発明の具体的な実施例二を説明する。
【００３０】
本実施例は、スチームによって人肌の一部を健やかにさせる一種の手持ち式の装置である。図5を参照し、スチームで人肌を健やかにさせる装置には一つの手持ち部1と一つのスチーム発生システム2がある。前記手持ち部1には一つになっている頭部11と柄12があり、前記頭部11には三つのマッサージローラー13が同軸に並び、二つのマッサージローラー13ごとの間には一つのスチーム出口110が設置され、前記柄12の底部にはスチーム入り口120が設置される。スチーム発生システム2には一つのスチーム出口20が設置され、前記スチーム出口20は一つのスチーム輸送パイプ3によって手持ち部1のスチーム入り口120と繋がる。
【００３１】
図6を参照し、前記手持ち部1には一つの管路31が設置され、スチーム出口110をスチーム入り口120と繋がらせ、前記管路31には一つの加熱装置が設置され、そこを通るスチームを加熱し、前記加熱装置は柄11の裏に設置され、その中には、その両端は前記スチーム管路31と繋がった一つの金属製パイプアダプター4と、前記金属製パイプアダプター4の外側に貼り付けられたPTCサーミスター41、42と、前記PTCサーミスター41、42と繋がったサーミスター制御装置が設置される。前記サーミスター制御装置は従来技術で、図には示さず。
【００３２】
図8を参照し、手持ち部1の外殻には上部外殻101と、上部後ろ蓋102と、柄外殻103と底蓋104がお互いに締め付けられ、上部外殻101と上部後ろ蓋102は前記頭部11を形成し、柄外殻103と底蓋104は前記柄12を形成する。頭部11の裏には二つのスチーム通路311、312が形成され、前記上部外殻101と上部後ろ蓋102の内側壁に突出して形成された突起を合わせ、前記スチーム通路311、312を形成し、前記スチーム通路311、312はスチーム管路31、および二つのスチーム出口110と接続し、スチーム管路31を二つの脇道に分岐し、スチーム管路31のスチームを二つのスチーム出口から噴出させる。金属製パイプアダプター4、PTCサーミスター41、42を組み合わせた加熱装置を柄103の裏に組み立て、その両端は別々にスチーム管路31、およびスチーム配送パイプ3に繋がる。
【００３３】
手持ち部1の頭部11には電動マッサージ器14が設置され、マッサージの効果を増加させる。
【００３４】
図6と図7を参照し、図は前記スチーム発生システム2の二つの断面図であり、図に示したスチーム出口20の位置によって、断面の位置と角度を簡単に判断できる。前記スチーム発生装置2には水槽5と、噴霧室6と、水槽5と噴霧室6の間に設置された水注入バルブ9と、噴霧室6の裏に設置された噴霧装置61と、一つのスチーム通路7によって前記噴霧室6と接続したスチーム出口20と、噴霧室6で形成されたスチームを動かし、前記スチーム出口20の方へ移動させる羽根車8と、それに前記羽根車8の回転運動を起こすモーターがある。図にはモーターを示さず、その送出軸を羽根車8の回転軸と繋げるだけでよい。前記スチーム出口20の内側壁は錐面で、その小さい端部は前記スチーム輸送パイプ３と繋がり、この構造によって、低温スチームがスチーム輸送管3に入るのに役立つ。
【００３５】
噴霧室6は水槽5の下にあり、噴霧室6は大気と繋がり、水槽5は気密で、水槽5と噴霧室6の間に設置された前記水注入バルブ9には下へ向いて噴霧室まで延伸する一つのバルブ本体があり、前記バルブ本体には通路が設置され、水槽と噴霧室を繋ぎ、前記通路の下端の開口周縁には一つの開口91が設置され；スチーム通路7の入り口71の位置は前記開口91より高く、羽根車8は前記スチーム通路7の入り口71の下にあり、その外部には一つの外殻81があり、風向きを誘導し、上向きの風を形成するように、前記外殻の形を設計し、前記外殻81の上部は上に突き出て、前記突部では前記エアー吹き出し口810が設置され、前記噴霧室6と繋がり、それにスチーム通路7の入り口71のそばに位置する。
【００３６】
水槽5の水は水バルブ9を通って噴霧室に入り、噴霧装置61によって低温スチームに噴霧されてから、羽根車8で動かされ、前記スチーム通路7とスチーム3を通って手持ち部１まで送られてから、手持ち部1の加熱装置で加熱され、最後に手持ち部1のスチーム出口110から噴出し、マッサージローラー13の働きに従い、人肌の保健作用に役立ち、手持ち部1の加熱装置の温度が調節できることで、噴出したスチームの温度が人肌に相応しい範囲に制御できる。
【００３７】
水注入バルブ9はこうして自動的に噴霧室6に水を注入し：一旦噴霧室6の水位は前記開口91より低くなると、通路が開放されたままで、水槽5の水が水注入バルブ9から噴霧室6に流れ込み、いったん噴霧室6の水位は前記開口91より高くなると、水槽5が気密で、その裏は陰圧を形成し、水槽5の水が噴霧室6に流れ込むことができなくなる。
【００３８】
実施例3は実施例2と違い、其の送出端は一つのマッサージバンド、その裏側には複数個のマッサージスポットが設置され、それに複数個のスチーム出口があり、別々に各マッサージ突起点の間に対応して設置され；前記加熱装置はマッサージバンドの外側に設置され、その中には、その両端は前記スチーム管路と繋がった一つの金属製パイプアダプターと、前記金属製パイプアダプターの外側に貼り付けたPTCサーミスターと、前記PTCサーミスターと繋がったサーミスター制御装置が設置される。その噴霧システム、水槽は一体構造で、スチームパイプによって送出部と繋がっている。
【００３９】
本発明で述べたスチーム送出部は他の美容、ヘアドレッシングに使う道具でもよく、例えば、美容に使うスチームマスクなどである。
【００４０】
以上のように、本発明でただ一つの好ましい実施例を開示したが、本発明の設計思想はこれに限定されるものではなく、当業者が、本発明の思想と範囲に基づいて色々変更することができ、それらは本発明の請求項の保護範囲から排除するものではない。
【産業上の利用可能性】
【００４１】
本発明で述べたスチーム発生装置およびスチーム発生方法は噴霧システムによって水を噴霧し、低温スチームを形成させてから、低温スチームを高温スチームと混合し、或いは低温スチームを加熱し、ふさわしいスチーム温度が得られる。本発明の構造は簡単で、使いやすく、それによい工業実用性がある。
【図１】
2009540968.tif 000003
【図２】
2009540968.tif 000004
【図３】
2009540968.tif 000005
【図４】
2009540968.tif 000006
【図５】
2009540968.tif 000007
【図６】
2009540968.tif 000008
【図７】
2009540968.tif 000009
【図８】
2009540968.tif 000010
【国際調査報告】
2009540968.tif 000011
2009540968.tif 000012
2009540968.tif 000013
2009540968.tif 000014
2009540968.tif 000015
2009540968.tif 000016